(57)【要約】【課題】光ディスクドライブのデータアクセス装置を特定方向に案内するガイド機構のシャフトが設定した軸線方向からずれることを防止する。【解決手段】ＣＤ−Ｒドライブに関する無バイアスガイド機構は、データ・アクセス装置を駆動し特定の方向に動かして、ＣＤ上のデータをアクセスするのに使用するものである。無バイアスガイド機構のシャフト５６は、軸固定部材３３，３５によって軸受けされている。軸固定部材３５は、複数のリング部３５３を有し、また軸線を一致させてリング部３５３と一体的に形成された軸受け部３５１を備えている。リング部３５３はコイル３４３が巻きつけられ、駆動部３４の内側に設けられており、軸受け部３５１はシャフト５６の位置決め用に使用され、駆動部３４の外側に配置される。その結果、シャフト５６が設定した軸線から一方に偏る問題は、軸固定部材３５を使うことによって解決することができる。【選択図】　　　図５
0003096821.tif 000002
【実用新案登録請求の範囲】
【請求項１】
第一開口部と第二開口部を有するシャフト・シャシーと、
シャフト・シャシーに設置され、第１開口部に対応する弾性エレメントと、
第一開口部に取り付けられ、弾性エレメントを押圧する第一軸固定部材と、
第二開口部に対応する貫通孔と、駆動部内に配置されコイルを巻きつけるリング部と第二開口部に対面する軸受け部とを軸線を一致させて一体に有する第二軸固定部材とからなるシャフト・シャシーの第二開口部の外側に取り付けられた駆動部と、片端が第一軸固定部材内部に装着され、他方の端が第二軸固定部材の軸受け部内部に装着され、軸受け部が弾性エレメントによって押圧されると、対象物を軸方向のずれなしで特定方向に動かすように駆動するシャフトとからなる対象物を特定方向に動かす無バイアスガイド機構。
【請求項２】
前記の第二軸固定部材はプラスチック材料で作られることを特徴とする請求項１記載の無バイアスガイド機構。
【請求項３】
前記の駆動部は回転モーターであり、第二軸固定部材を受け入れる収容スペースを持つケーシングから成ることを特徴とする請求項１記載の無バイアスガイド機構。
【請求項４】
前記のケーシングはケーシングの収容スペースを形成する容器とカバーから成り、容器とカバーの内部のへりはそれぞれに結合用の複数のつめ部で形成されていることを特徴とする請求項３記載の無バイアスガイド機構。
【請求項５】
前記の第二軸固定部材は軸受け部とリング部を接続するための複数のリブ部を有し、第二軸固定部材の軸受け部を駆動部の外側に突出させるように、つめ部はリブ部とリブ部の間を通り抜けることを特徴とする請求項４記載の無バイアスガイド機構。
【請求項６】
前記の弾性エレメントは、第一軸固定部材が貫通してこれを第一開口部へ装着するために、第一開口部に対応する孔を有し、押圧されると、その復元力によって第一軸固定部材に力を加えることを特徴とする請求項１記載の無バイアスガイド機構。
【請求項７】
前記の弾性エレメントが軟かいパッドからなることを特徴とする請求項１記載の無バイアスガイド機構。
【請求項８】
前記の第一軸固定部材は第一開口部内部に入る場合、前記の弾性エレメントが押圧され、弾性エレメントの一部が第一開口部の中に押し込まれることを特徴とする請求項６記載の無バイアスガイド機構。
【請求項９】
前記の弾性エレメントは第一開口部に対応するリング部とリング部の両端部に設けられた２つの圧迫部を有し、弾性エレメントが第一開口部に押し込まれると第一軸固定部材を押圧し、圧迫部を第一開口部の外側部分に押すように構成されることを特徴とする請求項８記載の無バイアスガイド機構。
【請求項１０】
前記の弾性エレメントは固着部材を用いて片端を第一開口部に固定されたばね板であり、第一軸固定部材が第一開口部に配置されると該弾性エレメントは第一開口部から移動させられ、同時に、ばね板がその復元力によって第一軸固定部材に力を加え、それによってシャフトの軸のずれが妨げられることを特徴とする請求項１記載の無バイアスガイド機構。
【考案の詳細な説明】
【０００１】
【考案の属する技術分野】
本発明は、ガイド機構に関するものであり、特にＣＤのデータにアクセスする際に特定方向に動くよう、データ・アクセス装置を駆動するためのＣＤ−Ｒドライブに使用する無バイアスガイド機構に関するものである。
【０００２】
【従来の技術】
図１を参照して説明すると、図１は従来技術の光ディスクドライブの内部の概略図を示したものである。光ディスクドライブは、キャリア１、データ・アクセス装置２（光学ピックアップ・ヘッドと対物レンズを含む）とガイド機構５を備えている。キャリア１は光ディスクを支持するために使用する。データ・アクセス装置２は光ディスク上のデータを読み書きすることができる。ガイド機構５は光ディスク上のデータにアクセスするためデータ・アクセス装置２を特定方向に案内するのに使われる。
【０００３】
図２、図３、及び図４は、従来技術の異なるタイプのガイド機構の断面図を示している。図２に示す第一の従来式ガイド機構は、支持シャシー５１、弾性エレメント５２、第一定位エレメント５３、駆動部５４、第二定位エレメント５５及びシャフト５６を備えている。支持シャシー５１の２つの端部には、開口部５１１ａと５１１ｂがそれぞれ形成されている。弾性エレメント５２は、開口部５１１ａに対応する孔を有し、それによって第一定位エレメント５３が弾性エレメント５２の孔を通り抜け開口部５１１ａに達して、この第一定位エレメント５３を弾性エレメント５２によって支持シャシー５１へ弾力的に支持させることが可能になっている。
【０００４】
支持シャシー５１に取り付けられた回転モーターなどの駆動部５４は、開口部５１１ｂに対応する貫通孔５４２を備えている。貫通孔５４２の支持シャシー５１とは反対側に取り付けられた第二定位エレメント５５はスロット５５１を具備している。したがって、シャフト５６の一端を第一定位エレメント５３に固定することができ、またシャフト５６の他端は支持シャシー５１の開口部５１１ｂと駆動部５４の貫通孔５４２を貫通し、第二定位エレメント５５のスロット５５１の内側に固定される。
【０００５】
上記の構成によって、データ・アクセス装置２はシャフト５６が案内する方向に動き、キャリア１によって運ばれる光ディスク上のデータにアクセスすることができる。しかし、第一のガイド機構５においては、駆動部５４と支持シャシー５１及び駆動部５４と第二定位エレメント５５はいずれも、溶接またはねじによって固定されるので、シャフト５６の軸線が設定した中心から外れてしまうことがあり、それによってデータの読み書きに困難が生じる。
【０００６】
第二の従来のガイド機構５を図３に示す。上記の第二定位エレメント５５には弾性エレメント５２が備えられている。この部品５２は、シャフト５６に圧力を加えてシャフト５６が軸線に沿う方向でずれを起こさないようにしている。しかし、この構造では依然としてシャフト５６が中心をそれる問題を改良することができない。図４に示した第三の従来のガイド機構５でも同じ問題が存在する。
【０００７】
上記に鑑み、光ディスクドライブのデータ・アクセス装置が、キャリアによって支持される光ディスクからデータをスムーズに検索するため、特定方向に動くことが出来るようにする無バイアスガイド機構（シャフトの軸線が設定した中心からずれてしまうことがないガイド機構）を提供することが望ましい。
【０００８】
【考案が解決しようとする課題】
本発明の主な目的は、光ディスクドライブのデータ・アクセス装置が特定方向に動くことができ、キャリアによって支持される光ディスクからデータをスムーズに検索することが可能な、無バイアスガイド機構を提供することである。
【０００９】
【課題を解決するための手段】
開示されたガイド機構は、対象物を特定方向に動かすのに使用するものであり、該ガイド機構は、主に駆動部、シャフト・シャシー及びシャフトより構成されている。駆動部は、シャフト・シャシーの片方の端部に取り付けられており、軸固定部材とリング部を備えている。該軸固定部材はリング部と一体で同じ軸線に軸受け部を有している。リング部にはコイルが巻きつけられて駆動部の内側に配置され、前記の軸受け部は駆動部の外側に突き出して設けられている。シャフトはシャフト・シャシーに取り付けられ、その一方の端部はシャフト・シャシーを貫通して軸固定部材に取り付けられる。
【００１０】
したがって、本発明は駆動部を用いてシャフトを駆動し、その上の対象物をシャフト方向に移動させる。駆動部に設けた軸固定部材は、シャフトの軸にずれが生ずるのを抑止する。これによって、従来技術で起きるシャフトの軸の問題が解決される。
【００１１】
【考案の作用および効果】
本発明は、特定方向に動くことによって、キャリアに支持される光ディスクドライブのデータにアクセスする光ディスクドライブのデータ・アクセス装置用無バイアスガイド機構を開示するものである。第二軸固定部材のリング部と同軸にリング部と一体的に形成された軸受け部が、シャフトに軸線のずれが起きるのを防ぐために使われる。これによって従来の技術（軸固定部材と駆動部が溶接かねじを用いて結合されている）では発生するシャフトの軸線が一方に偏よる問題が完全に解決される。
【００１２】
【考案の実施の形態】
本発明は下記に記載した詳細な説明からのみ、さらに充分に理解されうるものである。しかしこの記述は図だけに関する説明であり、したがって本発明をこれのみに制限するものではない。
【００１３】
図５、図６及び図７で示すように、本発明で開示される無バイアスガイド機構３は対象物を特定の方向に動かすために用いられる。ガイド機構３は、シャフト・シャシー３１、弾性エレメント３２、第一軸固定部材３３、駆動部３４、シャフト３６を備えている。
【００１４】
シャフト・シャシー３１の両端には、第一開口部３１１ａと第二開口部３１１ｂが形成されている。図１で示したように、シャフト・シャシー３１のもう一つの実施例では、シャフト・シャシー３１の両側にそれぞれシャフト３６を取り付けるための第一開口部３１１ａと第二開口部３１１ｂが形成されている。
【００１５】
弾性エレメント３２は、シャフト・シャシー３１に取り付けられるように第一開口部３１１ａに対応した孔を有する。
【００１６】
第一軸固定部材３３は、弾性エレメント３２の穴を貫通し、第一開口部３１１ａに固定される。この軸固定部材は弾性エレメント３２を押圧し、次に弾性エレメントの復元力によって第一軸固定部材３３に力が加えられ、第一軸固定部材を押し戻す付勢となる。
【００１７】
駆動部３４は回転モーターであることが望ましく、シャフト・シャシー３１の第二開口部３１１ｂの外側に取り付けられてシャフト３６を回転する。駆動部３４は、ケーシング３４１、貫通孔３４２、コイル３４３及びプラスチック材製の第二軸固定部材３５を備える。ケーシング３４１は、駆動部３４の固定子であり、容器３４１１とカバー３４１２で形成され、内部スペース３４１３を備えている。容器３４１１とカバー３４１２は、ともにつめ部３４１１ａを備え、それを介して結合される。このように結合されると、つめ部３４１１ａの内側が第二開口部３１１ｂに対応する貫通孔３４２を形成する。コイル３４３は、第二軸固定部材３５の一端のリング部３５３に巻きつけられる。且つコイル３４３と第二軸固定部材３５のリング部３５３はともに内部スペース３４１３（すなわち駆動部３４の内側）に配置される。第二軸固定部材３５の片方の端は軸受け部３５１で、リブ部３５２を介してリング部３５３と接続しており、さらに、リング部３５３の中心軸線と同軸として一体に形成されている。軸受け部３５１は、第二開口部３１１ｂに対応し、これと向き合っている。つめ部３４１１ａは、第二軸固定部材３５の２つのリブ部３５２の間を通り抜けてカバー３４１２と結合される。第二軸固定部材３５の軸受け部３５１は、駆動部３４の貫通孔３４２から突出している。
【００１８】
シャフト３６の一端は第一軸固定部材３３の内側に装着されている。他方の端は、シャフト・シャシー３１の第二開口部３１１ｂと駆動部３４の貫通孔３４２を貫通し、第二軸固定部材３５の軸受け部３５１に固定される。弾性エレメント３２の力によってシャフト３６は軸線方向のずれを生ぜず、シャフト３６上の対象物を動かす。
【００１９】
使用中、駆動部３４はシャフト３６を駆動し、シャフトはその上に取り付けられた他の対象物を動かす。本発明を光ディスクドライブに適用する場合、シャフト３６に取り付けられる対象物は当然ディスクドライブ（図１参照）のデータ・アクセス装置２である。かくして、駆動部３４はデータ・アクセス装置２を制御しＣＤからデータを読みとることが可能となる。
【００２０】
上述の第一の実施例に加えて、弾性エレメント３２を図８に示す第二の実施例として変更することが可能である。すなわち、弾性エレメント３２を軟かいパッドに変え、且つシャフト・シャシー３１の第一開口部３１１ａの近くに設けることができる。本発明を完全に組立てると、弾性エレメント３２は第一軸固定部材３３と直接接触することになる。こうすることによって、弾性エレメント３２が押圧される場合、復元力が第一軸固定部材３３にかかってシャフト３６が押され、シャフト軸がずれることを防ぐことができる。
【００２１】
図９、図１０、図１１は弾性エレメント３２とその取り付けの第三の実施例を示している。弾性エレメント３２は、リング部３２１とリング部３２１の両側に対向して圧迫部３２２を備えている。リング部３２１は、第一開口部３１１ａに対応する。したがって、弾性エレメント３２が第一開口部３１１ａに押し込まれると、それによって第一軸固定部材３３に圧力が加えられ、圧迫部３２２が第一開口部３１１ａを外側に押し出す状態になる。
【００２２】
つまり、第一軸固定部材３３が第一開口部３１１ａに押し込まれると、弾性エレメント３２が押されて、圧迫部３２２が第一開口部３１１ａに入ってしまうが、弾性エレメント３２の弾性によって、第一軸固定部材３３に対して復元力が生じ、シャフトのずれができないようシャフト３６を制御する。
【００２３】
図１２で示すように、弾性エレメント３２の第四の実施例のポイントは固定部材４０を介して、弾力のある小片である弾性エレメント３２の一端を第一開口部３１１ａに対応する位置に取り付ける。第一軸固定部材３３が第一開口部３１１ａに設置されると、該弾性エレメントは第一開口部３１１ａから強制的に離され、該弾性エレメント３２に第一軸固定部材３３に対する復元力が生じ、シャフト３６の軸のずれを防止することができる。
【００２４】
本発明の上記の説明からも、諸種の方法で同じことが実現できることは明白であろう。こうした変更は本発明の精神と範囲に反するものとみなされるべきではなく、かかる修正はすべて、当業者にとって明白なように、実用新案登録請求の範囲内に含まれるものである。
【図面の簡単な説明】
【図１】図１は、従来技術のＣＤ−Ｒドライブの斜視図である。
【図２】図２は、従来技術によるガイド機構の断面図である（第一）。
【図３】図３は、従来技術によるガイド機構の断面図である（第二）。
【図４】図４は、従来技術によるガイド機構の断面図である（第三）。
【図５】図５は、本発明によるガイド機構の断面図である。
【図６】図６は、本発明による第二軸固定部材の正面図である。
【図７】図７は、本発明による第二軸固定部材の断面図である。
【図８】図８は、本発明による第二実施例の弾性エレメントの断面図である。
【図９】図９は、本発明による第三実施例の弾性エレメントの断面図である。
【図１０】図１０は、図９に示した弾性エレメントを取り付ける場合の断面図である。
【図１１】図１１は、図９に示した弾性エレメントを取り付けた場合の断面図である。
【図１２】図１２は、本発明による第四実施例の弾性エレメントを取り付けた場合の断面図である。
【符号の説明】
１　　　キャリア
２　　　データ・アクセス装置
３　　　ガイド機構
３１　　　シャフト・シャシー
３１１ａ　第一開口部
３１１ｂ　第二開口部
３２　　　弾性エレメント
３２１　　リング部
３２２　　圧迫部
３３　　　第一軸固定部材
３４　　　駆動部
３４１　　ケーシング
３４１１　容器
３４１１ａ　つめ部
３４１２　カバー
３４１３　内部スペース
３４２　　貫通孔
３４３　　コイル
３５　　　第二軸固定部材
３５１　　軸受け部
３５２　　リブ部
３５３　　リング部
３６　　　シャフト
４０　　　固定部材
５　　　　ガイド機構
５１　　　支持シャシー
５１１ａ　　開口部
５１１ｂ　　開口部
５２　　　弾性エレメント
５３　　　第一定位エレメント
５４　　　駆動部
５４２　　貫通孔
５５　　　第二定位エレメント
５５１　　スロット
５６　　　シャフト
【図１】
0003096821.tif 000003
【図２】
0003096821.tif 000004
【図３】
0003096821.tif 000005
【図４】
0003096821.tif 000006
【図５】
0003096821.tif 000007
【図６】
0003096821.tif 000008
【図７】
0003096821.tif 000009
【図８】
0003096821.tif 000010
【図９】
0003096821.tif 000011
【図１０】
0003096821.tif 000012
【図１１】
0003096821.tif 000013
【図１２】
0003096821.tif 000014